(57)【要約】【課題】遊技機及び遊技機島の非稼動時に前面枠の開放による不正行為を防止するのに有効な遊技機における前面枠のロック装置を提供すること。【解決手段】形状記憶合金製コイルバネ４７とバイアスコイルバネ４８を互いに押し合うようにピン４５に装着し、形状記憶合金製コイルバネ４７の温度変化によりピン４５を進退自在に設けたバイアス式アクチュエータ４１を外枠１の内方に取り付け、ピン４５に係合可能な係止部材５１を前面枠５の裏面側に設け、遊技機及び遊技機島の稼動による雰囲気温度の上昇により、アクチュエータ４１のピン４５が後退して係止部材５１との係合状態が解除されることにより施錠装置３０のキー操作による前面枠５の開放作動を可能とし、遊技機及び遊技機島の電源オフと同時に冷却ファン５０を作動させて形状記憶合金製コイルバネ４７の温度を低下させることにより、ピン４５を係止部材５１に係合させる。【選択図】図２
2010000274.tif 000002
【特許請求の範囲】
【請求項１】
縦長の矩形状に形成された外枠の前面の一側部に前面枠を開閉自在に設け、その前面枠を開閉作動させる施錠装置を備えた遊技機において、
形状記憶合金製コイルバネとバイアスコイルバネを互いに押し合うようにピンに装着し、その形状記憶合金製コイルバネの温度変化により該ピンが進退自在に設けられたバイアス式アクチュエータを前記外枠の内方又は前面枠の裏面側に取り付け、前記ピンに係合可能な係止部材を前記前面枠の裏面側又は外枠の内方に設け、遊技機及び遊技機島の稼動による雰囲気温度の上昇により、前記アクチュエータのピンが後退して同ピンと前記係止部材との係合状態が解除されることにより前記施錠装置のキー操作による前面枠の開放作動を可能とし、遊技機及び遊技機島の非稼動による雰囲気温度の低下により、前記アクチュエータのピンが前進して前記係止部材に係合することにより前面枠の閉鎖状態を保持させ、前記アクチュエータに装備した電動式冷却ファンを遊技機及び遊技機島の電源のオンからオフへの切り替え時に所定時間作動させて前記形状記憶合金製コイルバネを冷却するように設けたことを特徴とする遊技機における前面枠のロック装置。
【請求項２】
前記アクチュエータの本体に放熱板を設けたことを特徴とする請求項１に記載の遊技機における前面枠のロック装置。
【発明の詳細な説明】
【技術分野】
【０００１】
本発明は、遊技ホールの閉店時において、パチンコ機等の遊技機の前面枠を不正に開放することを防止する前面枠のロック装置に関する。
【背景技術】
【０００２】
遊技機の１つであるパチンコ機は、外枠の前面の一側部に前面枠（内枠）を開閉自在に設け、前面枠の正面側にガラス板保持枠、上皿枠、発射ハンドルを備えた下皿枠を取り付け、前面枠の裏面側に遊技盤、球タンク、入賞球処理装置、景品球賞球払出装置やこれらを制御する電子回路装置、各種電気部品等を取り付け、錠本体に挿入されるキー操作により前面枠やガラス板保持枠を開閉作動させる施錠装置を備えた構成とされている。
なお、パチンコ機には、ガラス板保持枠、上皿枠及び下皿枠を前面枠に夫々取り付ける構成でなく、それらを前面枠に一体状に設けて前面枠のみを外枠に対して開閉する形式もある。
【０００３】
施錠装置としては、例えば特許文献１に示すように、前面枠の裏面の一端に縦長の鍵杆を取り付け、前面枠を外枠に対して閉鎖位置に固定する第１の施錠機構と、ガラス板保持枠を前面枠に対して閉鎖位置に固定する第２の施錠機構を備え、鍵杆に固定された錠本体に挿入されるキー操作によりそれらの施錠状態から開錠を行なう構造とされている。
【０００４】
上記施錠装置には、不正に施錠機構部分を操作して前面枠を開放しようとしても開錠することができないような構造とされている。ところが、不正にキーを使用するとか、故意に特殊な道具で開錠して前面枠を開放し、前面枠の裏側に装着されている電子制御ユニットの遊技制御プログラムに関連するロムを大当たり確率の高いものと取り替えてしまう等のゴト行為と称される不正行為がなされることがある。
【０００５】
遊技ホールの営業中には、従業員の見回りがなされるために前記不正行為がなされることは稀であるが、閉店時の従業員等の不在時には、不心得な侵入者により不正行為がなされることを防止することは難しい。
【特許文献１】特開平１１−３４７２２５号公報
【発明の開示】
【発明が解決しようとする課題】
【０００６】
本発明の目的は、遊技機及び遊技機島の非稼動時に前面枠の開放による不正行為を防止するのに有効な遊技機における前面枠のロック装置を提供することにある。
【課題を解決するための手段】
【０００７】
前記目的を達成するために請求項１に記載した発明は、縦長の矩形状に形成された外枠の前面の一側部に前面枠を開閉自在に設け、その前面枠を開閉作動させる施錠装置を備えた遊技機において、
形状記憶合金製コイルバネとバイアスコイルバネを互いに押し合うようにピンに装着し、その形状記憶合金製コイルバネの温度変化により該ピンが進退自在に設けられたバイアス式アクチュエータを前記外枠の内方又は前面枠の裏面側に取り付け、前記ピンに係合可能な係止部材を前記前面枠の裏面側又は外枠の内方に設け、遊技機及び遊技機島の稼動による雰囲気温度の上昇により、前記アクチュエータのピンが後退して同ピンと前記係止部材との係合状態が解除されることにより前記施錠装置のキー操作による前面枠の開放作動を可能とし、遊技機及び遊技機島の非稼動による雰囲気温度の低下により、前記アクチュエータのピンが前進して前記係止部材に係合することにより前面枠の閉鎖状態を保持させ、前記アクチュエータに装備した電動式冷却ファンを遊技機及び遊技機島の電源のオンからオフへの切り替え時に所定時間作動させて前記形状記憶合金製コイルバネを冷却するように設けたことを特徴とする。
【０００８】
同様の目的を達成するために請求項２に記載した発明は、請求項１に記載の遊技機における前面枠のロック装置において、前記アクチュエータの本体に放熱板を設けたことを特徴とするものである。
【発明の効果】
【０００９】
（請求項１の発明）
この遊技機における前面枠のロック装置は、遊技機及び遊技機島の稼動時にアクチュエータのピンと係止部材との係合状態が解除されて前面枠の開放作動を可能とし、遊技機及び遊技機島の非稼動時にアクチュエータのピンが係止部材に係合して前面枠の閉鎖状態を保持する構成としているので、遊技機及び遊技機島の非稼動時に前面枠の開放による不正行為の防止に有効である。そして、このロック装置は、一般的な遊技機に備えられる施錠装置のロック機能に加え、さらに安全性を高めた二重ロック機能としての役割を有する。
【００１０】
加えて、遊技機及び遊技機島の電源をオンからオフへ切り替えた場合には、電動式冷却ファンが（タイマ制御により）所定時間作動してアクチュエータの形状記憶合金製コイルバネを急速に冷却して同コイルバネを常温時の縮んだ状態に変化させるので、アクチュエータのピンが速やかに係止部材に係合して前面枠の閉鎖状態が迅速に保持される。
【００１１】
（請求項２の発明）
この遊技機における前面枠のロック装置は、放熱板による自然放熱と電動式冷却ファンによる強制冷却との相乗作用によりアクチュエータの形状記憶合金製コイルバネが急速に冷却されて同コイルバネを常温時の縮んだ状態に変化させるので、アクチュエータのピンが速やかに係止部材に係合して前面枠の閉鎖状態が迅速に保持される。
【発明を実施するための最良の形態】
【００１２】
以下に、本発明の最良の形態例を図面に基づいて説明する。図１は本発明を適用したパチンコ機の正面図、図２は同、背面図、図３は外枠に対して前面枠を開放した状態を示す斜視図、図４は前面枠のロック装置の作用を説明する模式図であり、（イ）はアクチュエータのピンが係止部材に係合した状態、（ロ）はアクチュエータのピンと係止部材との係合状態が解除された状態、図５は電動式冷却ファンを作動させるための電気回路図である。
【００１３】
図１に本発明に係る前面枠のロック装置４０を適用した遊技機としてのパチンコ機Ｐを示す。このパチンコ機Ｐは、縦長の矩形状に形成された木製の外枠１の前面の左側部に、金属製の前面枠（「内枠」とも称される）５をヒンジ金具３により軸支して開閉自在に取り付け、前面枠５を閉じた状態を後記施錠装置３０により保持（ロック）するように構成されている。
【００１４】
上記ヒンジ金具３は、外枠１の左側上端部に固定される支持片３ａと、外枠１の内側の左下隅部に固定される支持片３ｂとからなる。図３に示すように、中央に大きな開口部６が形成された前面枠５の左上端部には、そのヒンジ金具３の支持片３ａに対応する可動片７ａを、前面枠５の左側下端部には、支持片３ｂに対応する可動片７ｂを夫々固定している。そして、可動片７ａに下向きに突設されたヒンジピン８を支持片３ａに穿設される軸孔（図示せず）に、可動片７ｂに穿設された軸孔９を支持片３ｂに上向きに突設されるヒンジピン（図示せず）に夫々遊嵌させることにより、前面枠５が外枠１に対して開閉及び着脱自在に設けられている。なお、このヒンジ構造については公知のものである。
【００１５】
図１に示すように、前面枠５の前面側５ａの左下方には、上下方向に適宜間隔を置いて水平に突設された３個の固定片１１ａ〜１１ｃにより縦向きに固定されるヒンジ軸１２を設けている。そのヒンジ軸１２の上端部１２ａは、上方に位置する固定片１１ａから少し突出するように設けられている。１３は前面枠５の可動片７ａの直下方に固定される支持部材、１４はその支持部材１３に下向きに突設されたヒンジピンである。
【００１６】
前面枠５の前面側５ａには、ヒンジピン１４とヒンジ軸１２の上端部１２ａとによりガラス板保持枠１５を、ヒンジ軸１２の上部に上皿枠１６を、ヒンジ軸１２の下部にパチンコ球の発射ハンドル１８を備えた下皿枠１７を夫々支持させるように設けられ、それらが開閉可能に取り付けられている。また、前面枠５の裏面側５ｂには、公知の遊技盤２１、球タンク２２、液晶表示装置２３、景品球払い出し装置２４やこれらを制御する電子回路装置２５、電気部品２６等が集約的に取り付けられる。
【００１７】
施錠装置３０については、背景技術の項で述べた公知の施錠装置と同様の構造とされている。即ち、施錠装置３０は、図２に示すように、前面枠５の裏面の左端に縦長の鍵杆３２を取り付け、前面枠５を外枠１に対して閉鎖位置に固定する第１の施錠機構３１ａと、ガラス板保持枠１５を前面枠５に対して閉鎖位置に固定する第２の施錠機構３１ｂを備え、キーの差込み孔が前面枠５の正面側に露出するように鍵杆３２に固定された錠本体３３に挿入されるキー操作によりそれらの施錠状態から開錠を行なうという構造である。具体的には、この施錠装置３０では、図示しないキーを時計方向に回すと前面枠５が開放し、反時計方向に回すとガラス板保持枠１５が開放するようにされている。
【００１８】
前面枠のロック装置４０は、図２に示すように、バイアス式アクチュエータ４１を外枠１の内方の左下部に取り付け、そのアクチュエータ４１のピン４５に係合可能な係止部材５１を前面枠５の裏面５ｂに取り付けている。
【００１９】
なお、この前面枠のロック装置４０は、パチンコ機及び遊技機島の稼動時に発生する熱によって上昇する雰囲気温度によりロック部分の解除動作が行なわれることから、なるべく熱の発生しやすい球タンク２２の周辺や電源基板の周辺に配置することが好ましい。また、この実施形態では、バイアス式アクチュエータ４１を外枠１の内方の左下部に、係止部材５１を前面枠５の裏面５ｂに取り付けているところ、バイアス式アクチュエータ４１を前面枠５の裏面５ｂに、係止部材５１を外枠１の内方に取り付ける構成とすることも可能である。
【００２０】
バイアス式アクチュエータ４１は、図４に示すように、中間位置にリング４６が固定されたピン４５を本体４２に形成した一対の軸穴４３に縦向きに遊嵌し、かつ、形状記憶合金製コイルバネ４７をリング４６の下部に、通常のバネ用材料で製作されたバイアスコイルバネ４８をリング４６の上部に夫々配置し、それらのバネ４７，４８が互いに押し合うようにピン４５に装着されている。図２に示すように、上記本体４２の側部には、多数のフィン状の放熱板４２ａを一体に並設すると共に放熱孔４２ｂを数箇所に設けている。
【００２１】
因みに、「バイアス法」（バイアス式）とは、一方向形状記憶効果を示す形状記憶合金に、加熱時ばかりでなく冷却時にも形状変化するように、コイルばね、板ばねなどを用いて外部応力を負荷して、二方向動作を繰り返し行なわせる方法（ＪＩＳ工業用語大辞典第４版、１９５５年１１月日本規格協会発行）。ただし、この明細書においては、アクチュエータとの熟語とする関係で「バイアス式」と表した。
【００２２】
上記形状記憶合金製コイルバネ４７は、４０〜６０℃に加熱されたときに伸張して約４００〜６６０ｇの弾発力を生じ、他方、常温では柔らかくなって縮小可能となる特性を有する。しかして、温度変化に伴い弾発力が変化する形状記憶合金製コイルバネ４７と、通常のバイアスコイルバネ４８との拮抗作用によりピン４５を進退自在に設けたバイアス式アクチュエータ４１が構成される。
【００２３】
５０はアクチュエータ４１に装備された電動式冷却ファンである（図２）。この冷却ファン５０は、パチンコ機及び遊技機島の電源をオンからオフへ切り替えた場合に、図示しない制御部のタイマ制御により所定時間作動することにより、アクチュエータ４１の形状記憶合金製コイルバネ４７を急速に冷却させるために設けられている。
【００２４】
係止部材５１は、図３に示すように、前面枠５の裏面５ｂにリベット又はビスにより固定される取付け部５１ａから後方に水平方向に延びる平坦部５１ｂに係合穴５２を設けている。この係合穴５２は、前記バイアス式アクチュエータ４１のピン４５の先端部４５ａを挿入可能な大きさに形成されている。なお、その係合穴５２に代わる鉤片（図示せず）を係止部材５１の平坦部５１ｂに設け、その鉤片をピン４５に係合させる構成とすることもできる。
【００２５】
図５に電動式冷却ファン５０を作動させるための電気回路図の一例を示す。図中、６１はパチンコ機及び遊技機島に供給される交流電力からＡＣ／ＤＣコンバータにより直流電力に変換された電源側（図示せず）に接続される配線である。６２はコレクタ電極ｃ側を配線６１に接続してエミッタ接地としたトランジスタであり、このトランジスタ６２のベース電極ｂ側は、パチンコ機Ｐの電気回路に設けられる電源スイッチ（図示せず）の出力側に接続されている。６３はトランジスタ６２のエミッタ電極ｅとベース電極ｂとの間に介装した抵抗である。配線６１とトランジスタ６２のコレクタ電極ｃ側との間には、リレー６５のコイル部６６を介装している。また、電動式冷却ファン５０の電源入力部５０ａと配線６１との間に接続された配線６８には、リレー６５の接点６７を介装している。
【００２６】
なお、（有接点式）リレーは、電磁作用により機械的に接点を開閉させて信号や電流・電圧をオン・オフする一般的な電気部品である。また、前記リレー６５の接点６７については、図示しないタイマにより一旦閉じた回路を所定時間経過後に開くように設けることもできる。
【００２７】
これにより、パチンコ機及び遊技機島の稼動による雰囲気温度の上昇により、アクチュエータ４１のピン４５が後退して同ピンと係止部材５１との係合状態が解除されることにより施錠装置３０のキー操作による前面枠５の開放作動を可能とし、パチンコ機及び遊技機島の電源をオンからオフへ切り替えた場合に電動式冷却ファン５０を作動させて形状記憶合金製コイルバネ４７を冷却することにより、ピン４５が前進して係止部材５１の係合穴５２に係合して前面枠５の閉鎖状態を保持するという本発明に係る遊技機における前面枠のロック装置４０が構成される。
【００２８】
なお、遊技機島には、各パチンコ機の球タンクへパチンコ球を補給する補給装置が設置されており、その補給装置及びパチンコ機の稼動により島内の雰囲気温度が４０〜６０℃に上昇することが確認されている。そして、パチンコ機の電源をオフとし遊技機島の電源をオンにした状態においても、補給装置の稼動により島内の雰囲気温度は高くなる。このため、電動式冷却ファン５０を作動させるときには、パチンコ機及び遊技機島の電源をオンからオフへ切り替える必要がある。
【００２９】
つぎに、本発明に係る遊技機における前面枠のロック装置４０の作用について説明する。
（１）パチンコ機及び遊技機島の稼動時（遊技ホールの営業中）
多数のパチンコ機を両面に配置した遊技機島内の雰囲気温度が、稼動時にパチンコ機等から発生する熱により４０〜６０℃に上昇すると、図４（ロ）に示すように、バイアス式アクチュエータ４１の形状記憶合金製コイルバネ４７が伸張してバイアスコイルバネ４８を圧縮する。これにより、ピン４５が上昇（後退）して係止部材５１の係合穴５２から脱出するので、同ピン４５と係止部材５１との係合状態は解除される。これにより、施錠装置３０のキー操作による前面枠５の開放作動が可能となる。
（２）パチンコ機及び遊技機島の非稼動時（遊技ホールの閉店中）
パチンコ機及び遊技機島の電源がオンからオフへ切り替えられた場合には、図５におけるトランジスタ６２が作動してリレー６５のコイル部６６を瞬間的に励磁するので、リレー６５の接点６７が閉じて電動式冷却ファン５０の電源入力部５０ａに直流電力が供給され、冷却ファン５０を所定時間作動させる。そして、アクチュエータの形状記憶合金製コイルバネは、冷却ファン５０による強制冷却と放熱板４２ａによる自然放熱との相乗作用により急速に冷却されて常温時の縮んだ状態に変化する。これと同時に、図４（イ）に示すように、バイアスコイルバネ４８が伸張して該形状記憶合金製コイルバネ４７を圧縮する。これにより、アクチュエータのピン４５が下降（前進）して係止部材５１の係合穴５２に係合するので、前面枠５は閉鎖状態に確実に保持される。しかして、仮にパチンコ機に付属の施錠装置３０の施錠を何らかの操作によって解除したとしても、本発明にかかる前面枠のロック装置４０により前面枠５の閉鎖状態がロックされているため、前面枠５の開放を可及的に防止することができる。
【００３０】
以上に述べた通り、このパチンコ機における前面枠のロック装置は、パチンコ機及び遊技機島の稼動時に前面枠の開放作動を可能とし、パチンコ機及び遊技機島の非稼動（遊技ホールの閉店）時に前面枠の閉鎖状態を保持する構成としているので、遊技ホールの閉店中に発生する前面枠の開放による不正行為の防止に有効である。
【図面の簡単な説明】
【００３１】
【図１】本発明を適用したパチンコ機の正面図
【図２】同、背面図
【図３】外枠に対して前面枠を開放した状態を示す斜視図
【図４】前面枠のロック装置の作用を説明する模式図であり、（イ）はアクチュエータのピンが係止部材に係合した状態、（ロ）はアクチュエータのピンと係止部材との係合状態が解除された状態
【図５】電動式冷却ファンを作動させるための電気回路図
【符号の説明】
【００３２】
Ｐ・・・本発明を適用したパチンコ機
１・・・外枠
５・・・前面枠
３０・・・施錠装置
４０・・・前面枠のロック装置
４１・・・バイアス式アクチュエータ
４２ａ・・・放熱板
４５・・・ピン
４７・・・形状記憶合金製コイルバネ
４８・・・バイアスコイルバネ
５０・・・電動式冷却ファン
５１・・・係止部材
５２・・・係合穴
【図１】
2010000274.tif 000003
【図２】
2010000274.tif 000004
【図３】
2010000274.tif 000005
【図４】
2010000274.tif 000006
【図５】
2010000274.tif 000007